(57)【特許請求の範囲】
【請求項１】
筒状プラスチックシ−トに一定間隔で切断用のミシン目線を形成すると共に、このミシン目線に近接して熱溶着部を形成することにより、ゴミ袋となる袋状シ−トがミシン目線で連続したゴミ袋連続シ−トを形成し、このゴミ袋連続シ−トを折り込んで折り込み連続シ−トを形成すると共にこの折り込み連続シ−トをロ−ル状に巻き取ったロ−ル状ゴミ袋において、
前記折り込み連続シ−トの内面側又は外面側の少なくともいずれか一方に、折り込み連続シ−トを巻き戻すとき、被接着側の折り込み連続シ−トが破れない程度の低接着力の接着剤を使用した仮接着部を形成したことを特徴とするロ−ル状ゴミ袋。
【請求項２】
筒状プラスチックシ−トに一定間隔で切断用のミシン目線を形成すると共に、このミシン目線に近接して熱溶着部を形成することにより、ゴミ袋となる袋状シ−トがミシン目線で連続したゴミ袋連続シ−トを形成し、このゴミ袋連続シ−トを折り込んで折り込み連続シ−トを形成すると共にこの折り込み連続シ−トをロ−ル状に巻き取ったロ−ル状ゴミ袋において、
前記折り込み連続シ−トの内面側又は外面側の少なくともいずれか一方に印刷部を形成すると共に、この印刷部を、ワックス類を添加しない印刷インキ又はすべり止め剤を添加した印刷インキを使用して形成したことを特徴とするロ−ル状ゴミ袋。
【発明の詳細な説明】
【０００１】
【発明の属する技術分野】
本発明は、ゴミ袋をロ−ル状に巻き取ったロ−ル状ゴミ袋の改良技術に関する。
【０００２】
【従来の技術】
従来のロ−ル状ゴミ袋Ｒは、図７に示すように、袋自体のスリップ性がよいため、持ち上げたとき、内部の巻芯部２０がスリップして側面から竹の子状にせり出すという、いわゆるテレスコ−プ現象を起こすので、通常、包装袋に収容されている。尚、２１はロ−ル状に巻き取ったゴミ袋の末端を固定する止着テ−プである。
【０００３】
【発明が解決しようとする課題】
しかしながら、ロ−ル状ゴミ袋を収容している包装袋は、ゴミ袋の取り出し後はゴミとして廃棄されるだけであるから、これがゴミの増加の一因となり、また、資源の無駄につながるという問題があった。
本発明は、かかる従来の問題点を解決するためになされたものであって、その目的するところは、包装袋に入れなくても、持ち上げたとき内部の巻芯部がスリップして側部からせり出すことがないようにしてゴミとなる包装袋をなくしたり、あるいは少なくすることができるロ−ル状ゴミ袋を提供することにある。
【０００４】
【課題を解決するための手段】
前記目的を達成するための手段として、本発明の請求項１記載のロ−ル状ゴミ袋は、筒状プラスチックシ−トに一定間隔で切断用のミシン目線を形成すると共に、このミシン目線に近接して熱溶着部を形成することにより、ゴミ袋となる袋状シ−トがミシン目線で連続したゴミ袋連続シ−トを形成し、このゴミ袋連続シ−トを折り込んで折り込み連続シ−トを形成すると共にこの折り込み連続シ−トをロ−ル状に巻き取ったロ−ル状ゴミ袋において、前記折り込み連続シ−トの内面側又は外面側の少なくともいずれか一方に、折り込み連続シ−トを巻き戻すとき、被接着側の折り込み連続シ−トが破れない程度の低接着力の接着剤を使用した仮接着部を形成した構成を採用した。尚、本明細書では、筒状プラスチックシ−トには筒状プラスチックフィルムも含まれるものとする。
【０００５】
また、請求項２記載のロ−ル状ゴミ袋では、筒状プラスチックシ−トに一定間隔で切断用のミシン目線を形成すると共に、このミシン目線に近接して熱溶着部を形成することにより、ゴミ袋となる袋状シ−トがミシン目線で連続したゴミ袋連続シ−トを形成し、このゴミ袋連続シ−トを折り込んで折り込み連続シ−トを形成すると共にこの折り込み連続シ−トをロ−ル状に巻き取ったロ−ル状ゴミ袋において、前記折り込み連続シ−トの内面側又は外面側の少なくともいずれか一方に印刷部を形成すると共に、前記印刷部を、ワックス類を添加しない印刷インキ又はすべり止め剤を添加した印刷インキを使用して形成した構成を採用した。
【０００６】
【発明の実施の形態】
本発明の請求項１記載のロ−ル状ゴミ袋は、折り込み連続シ−トの内面側又は外面側の少なくともいずれか一方に、折り込み連続シ−トを巻き戻すとき、被接着側の折り込み連続シ−トが破れない程度の低接着力の接着剤を使用した仮接着部を形成して、折り込み連続シ−トをロ−ル状に巻き取った際、折り込み連続シ−トが仮接着されるように形成しているので、持ち上げても内部の巻芯部が側部からせり出すことがない。そのため、従来のようにロ−ル状ゴミ袋を包装袋に収容する必要がないので、資源の無駄をなくすことができると共に、ゴミの減量化にも寄与することができる。
【０００７】
また、請求項２記載のロ−ル状ゴミ袋は、折り込み連続シ−トの内面側又は外面側の少なくともいずれか一方に印刷部を形成すると共に、前記印刷部を、ワックス類を添加しない印刷インキ又はすべり止め剤を添加した印刷インキを使用して形成することにより折り込み連続シ−トのスリップ性を低下させているので、持ち上げても内部の巻芯部が側部からせり出すことがない。そのため、従来のようにロ−ル状ゴミ袋を包装袋に収容する必要がなく、その分、資源の無駄をなくすことができると共に、ゴミの減量化にも寄与することができる。
【０００８】
【実施例】
以下、本発明の実施例を図面に基づいて説明する。
図１は実施例のロ−ル状ゴミ袋を繰り出した状態を示す斜視図である。
このロ−ル状ゴミ袋Ａは、筒状プラスチックシ−トに一定間隔で切断用のミシン目線１を形成すると共にこのミシン目線１に近接してゴミ袋の底となる熱溶着部２を形成することにより、ゴミ袋となる袋状シ−ト３がミシン目線１で連続したゴミ袋連続シ−ト４が形成され、このゴミ袋連続シ−ト４の両側を内側に折り込んで折り込み部５，５を形成してＣ字状の折り込み連続シ−ト６を形成すると共に、一方の折り込み部５の表面５ａにその長手方向に延長した帯状の仮接着部７を形成したのちロ−ル状に巻き取って形成している。
【０００９】
前記仮接着部７は、内部に巻き取った巻芯部８がスリップして側部からせり出さないようにするためのもので、接着剤を前記折り込み部５の表面５ａに塗布又は印刷して形成している。接着剤は、折り込み連続シ−ト６を巻き戻す時、被接着側の折り込み連続シ−ト６が破れない程度の低接着力のものを使用する。尚、接着剤としては、剥したのちは再接着しない、例えば、ホットメルト接着剤や糊を使用することが好ましい。また、仮接着部７は、帯状の他、図示していないが波状、点線状に形成してもよい。また、仮接着部７は、一条だけでなく複数条形成してもよい。尚、６ａは折り込み連続シ−ト６の外面側、９はゴミ袋となる袋状シ−ト３の開口部である。
【００１０】
したがって、本実施例のロ−ル状ゴミ袋Ａでは、仮接着部７により折り込み連続シ−ト６を接着しているので、持ち上げても内部に巻いた巻芯部８が側部からせり出すことがない。したがって、ロ−ル状ゴミ袋Ａを収容する包装袋を必要としないので、ゴミの減量化を図ることができると共に、資源の無駄をなくすことができる。尚、ロ−ル状ゴミ袋Ａの末端は、図示していないが、袋状シ−ト３がロ−ル状ゴミ袋Ａから剥れることを防止するために止着テ−プで固定している。止着テ−プの代わりにロ−ル状ゴミ袋Ａをプラスチックフィルム製またはプラスチックシ−ト製の短筒体（図示せず）に挿通させてもよい。この場合、従来の包装袋と比べてゴミの量を減らすことができる。また、短筒体の外面にはバ−コ−ドを表示させることもできる。
【００１１】
次に、図２は他の実施例のロ−ル状ゴミ袋Ｂを繰り出した状態を示す斜視図であり、このロ−ル状ゴミ袋Ｂは前記実施例の帯状の仮接着部７の代わりに点状の仮接着部１０を形成した点が前記実施例と相違するのみであるから、構成が同一の部分には同一符号を付してその説明を省略する。尚、この点状の仮接着部１０は袋状シ−ト毎にあるいは数枚毎にホットメルト接着剤を巻き取り前に点付けすることにより形成することができる。
したがって、本実施例のロ−ル状ゴミ袋Ｂは点状の仮接着部１０によりスリップを防止でき、持ち上げても内部に巻いた巻芯部８が側部からせり出すことがないので、包装袋を省くことができてゴミの発生を減らすことができると共に資源の無駄をなくすことができる。
【００１２】
次に、図３は他の実施例のロ−ル状ゴミ袋Ｃを繰り出した状態を示す斜視図であり、このロ−ル状ゴミ袋Ｃは前記実施例のようにＣ字状ではなく三つ折りにして折り込み連続シ−ト１１を形成し、上側の折り込み部１２の表面１２ａに帯状の仮接着部７を二条形成した点が前記実施例と相違するのみであるから、構成が同一の部分には同一符号を付してその説明を省略する。尚、１１ａは折り込み連続シ−ト１１の外面側、１３は下側の折り込み部である。
したがって、本実施例のロ−ル状ゴミ袋Ｃは二条の帯状の仮接着部７によりスリップを防止でき、持ち上げても内部に巻いた巻芯部８が側部からせり出すことがないので、包装袋を省くことができてゴミの発生を減らすことができると共に資源の無駄をなくすことができる。
【００１３】
次に、図４は他の実施例のロ−ル状ゴミ袋Ｄを繰り出した状態を示す斜視図であり、このロ−ル状ゴミ袋Ｄは前記実施例のように帯状の仮接着部７ではなく点状の仮接着部１０を形成した点が前記実施例と相違するのみであるから、構成が同一の部分には同一符号を付してその説明を省略する。
したがって、本実施例のロ−ル状ゴミ袋Ｄは点状の仮接着部１０によりスリップを防止でき、持ち上げても内部に巻いた巻芯部８が側部からせり出すことがないので、包装袋を省くことができてゴミの発生を減らすことができると共に資源の無駄をなくすことができる。
【００１４】
次に、図５は他の実施例のロ−ル状ゴミ袋Ｅを繰り出した状態を示す斜視図であり、このロ−ル状ゴミ袋Ｅは前記実施例のようにＣ字状の折り込み連続シ−ト４の折り込み部５，５の表面５ａに仮接着部７ではなく、印刷部１４を形成した点が前記実施例と相違するのみであるから、構成が同一の部分には同一符号を付してその説明を省略する。印刷部１４は、ワックス類を添加しない印刷インキ又はすべり止め剤を添加した印刷インキを使用してグラビア印刷やフレキソ印刷により形成し、これにより折り込み連続シ−ト６のスリップを防止して持ち上げても内部に巻いた巻芯部８が側部からせり出さないようにしている。印刷部１４は、折り込み部５の表面５ａのみならず折り込み部６の裏面や袋状シ−ト３の他の部分に形成してもよい。
したがって、本実施例のロ−ル状ゴミ袋Ｅは印刷部１４によりスリップを防止することができ、持ち上げても内部に巻いた巻芯部８が側部からせり出すことがないので、包装袋を省くことができてゴミの発生を減らすことができると共に資源の無駄をなくすことができる。
【００１５】
次に、図６は他の実施例のロ−ル状ゴミ袋Ｆを繰り出した状態を示す斜視図であり、このロ−ル状ゴミ袋Ｆは三つ折りに形成した折り込み連続シ−ト１１の上側折り込み部１２の表面１２ａに印刷部１４を形成した点が前記実施例と相違するのみであるから、同一の構成部分には同一の符号をつけて説明を省略する。
したがって、本実施例のロ−ル状ゴミ袋Ｆは印刷部１４によりスリップを防止することができ、持ち上げても内部に巻いた巻芯部８が側部からせり出すことがないので、包装袋を省くことができてゴミの発生を減らすことができると共に資源の無駄をなくすことができる。
【００１６】
以上、本発明の実施例を詳述してきたが、本発明の具体的な構成はこの実施例に限定されるものではなく、発明の要旨を逸脱しない範囲の設計変更等があっても本発明に含まれる。
【００１７】
例えば、前記実施例では、折り込み連続シ−ト６，１１の内面側に仮接着部７，１０又は印刷部１４を形成しているが、その外面側６ａ，１１ａに形成してもよく、また、両面に形成してもよい。また、仮接着部７，１０と印刷部１４は同時に形成してもよい。
【００１８】
また、接着剤の色や面積あるいは量も問わない。
【００１９】
【発明の効果】
以上説明してきたように本発明の請求項１記載のロ−ル状ゴミ袋は、折り込み連続シ−トの内面側又は外面側の少なくともいずれか一方に、折り込み連続シ−トを巻き戻すとき、被接着側の折り込み連続シ−トが破れない程度の低接着力の接着剤を使用した仮接着部を形成して、折り込み連続シ−トをロ−ル状に巻き取った際、折り込み連続シ−トが仮接着されてスリップしないように形成しているので、内部の巻芯部が側部からせり出すことがない。そのため、従来のようにロ−ル状ゴミ袋を包装袋に収容する必要がなく、その分、資源の無駄をなくすことができると共に、ゴミの減量化にも寄与することができる。
【００２０】
また、本発明の請求項２記載のロ−ル状ゴミ袋は、折り込み連続シ−トの内面側又は外面側の少なくともいずれか一方に印刷面を形成すると共に、前記印刷面を、ワックス類を添加しない印刷インキ又はすべり止め剤を添加した印刷インキを使用して形成することによりゴミ袋のスリップ性を低下させているので、従来のようにロ−ル状ゴミ袋を包装袋に収容する必要がなく、その分、資源の無駄をなくすことができると共に、ゴミの減量化にも寄与することができる。
【図面の簡単な説明】
【図１】本発明実施例のロ−ル状ゴミ袋を繰り出した状態を示す斜視図である。
【図２】他の実施例のロ−ル状ゴミ袋を繰り出した状態を示す斜視図である。
【図３】他の実施例のロ−ル状ゴミ袋を繰り出した状態を示す斜視図である。
【図４】他の実施例のロ−ル状ゴミ袋を繰り出した状態を示す斜視図である。
【図５】他の実施例のロ−ル状ゴミ袋を繰り出した状態を示す斜視図である。
【図６】他の実施例のロ−ル状ゴミ袋を繰り出した状態を示す斜視図である。
【図７】従来のロ−ル状ゴミ袋を示す斜視図である。
【符号の説明】
Ａ，Ｂ，Ｃ，Ｄ，Ｅ，Ｆ  ロ−ル状ゴミ袋
１  ミシン目線
２  熱溶着部
３  袋状シ−ト
４  ゴミ袋連続シ−ト
５  折り込み部
５ａ  折り込み部の表面（折り込み連続シ−トの内面側）
６  折り込み連続シ−ト
６ａ  折り込み連続シ−トの外面側
７  帯状の仮接着部
８  巻芯部
９  開口部
１０  点状の仮接着部
１１  折り込み連続シ−ト
１１ａ  折り込み連続シ−トの外面側
１２  折り込み部
１２ａ  折り込み部の表面（折り込み連続シ−トの内面側）
１４  印刷部
【図１】
0003798109.tif 000002
【図２】
0003798109.tif 000003
【図３】
0003798109.tif 000004
【図４】
0003798109.tif 000005
【図５】
0003798109.tif 000006
【図６】
0003798109.tif 000007
【図７】
0003798109.tif 000008